(57)【要約】【課題】ルーバ装置全体を変更することなく、キャビネットの設置場所に対応した防水性能や、設置場所の背景に合うデザインに応じたルーバカバーやフードに変更できる電気機器キャビネット用ルーバ装置を提供する【解決手段】ルーバ取付体１の前面開口にサブルーバカバー２を嵌合したうえ、該サブルーバカバー２の前面側に着脱自在な外側ルーバカバー３又はフード４を選択して取り付ける。【選択図】  図７
2006332448.tif 000002
【特許請求の範囲】
【請求項１】
ルーバ取付体の前面開口にサブルーバカバーを嵌合したうえ、該サブルーバカバーの前面側に着脱自在な外側ルーバカバー又はフードを選択して取り付けるものとしたことを特徴とする電気機器キャビネット用ルーバ装置。
【請求項２】
ルーバ取付体の前面側の最下端に水抜き孔を設けるとともに、ルーバ取付体に取り付けたフィルタの後面に臨む箇所の該ルーバ取付体の最下端から上方に向け堤防部を設けた請求項１に記載の電気機器キャビネット用ルーバ装置。
【請求項３】
外側ルーバカバーのガラリの開口の下縁に下隆堤部を設けるとともに該下隆堤部とガラリの立上げ部との間に横隆堤部を連設した請求項１又は２に記載の電気機器キャビネット用ルーバ装置。
【発明の詳細な説明】
【技術分野】
【０００１】
本発明は、屋外に設置した電気機器キャビネット内の換気を行うための電気機器キャビネット用ルーバ装置に関するものである。
【背景技術】
【０００２】
従来の屋外に設置した電気機器キャビネット内の換気を行うための電気機器キャビネット用ルーバ装置は、キャビネットの設置場所に応じた防水性能や、設置場所の背景に合うデザインのものとするため、ルーバカバーをそれに応じた構成のとする必要がある。しかし、従来のものは、ルーバカバーのみを変更できないものを普通とし、そのため、ルーバ装置全体を変更する必要がありコスト高となる問題がある。
【０００３】
また、ルーバ装置の防水性能を高めるためルーバカバーをさらに着脱自在なフードで覆ったものも知られているが（特許文献１参照）、これは、ルーバカバーとフードを同時に取り付けているため風量が減衰して電気機器キャビネット内の換気を充分に行うことができないとい問題がある。
【特許文献１】実開平０６−１４８３３号公報（図５）
【発明の開示】
【発明が解決しようとする課題】
【０００４】
本発明は前記のような問題点を解決して、ルーバ装置全体を変更することなく、キャビネットの設置場所に対応した防水性能や、設置場所の背景に合うデザインに応じたルーバカバーやフードに変更できる電気機器キャビネット用ルーバ装置を提供することである。
【課題を解決するための手段】
【０００５】
本発明の電気機器キャビネット用ルーバ装置は、ルーバ取付体の前面開口にサブルーバカバーを嵌合したうえ、該サブルーバカバーの前面側に着脱自在な外側ルーバカバー又はフードを選択して取り付けるものとしたことを特徴とするものを請求項１に記載の発明とする。そして、この請求項１の発明において、ルーバ取付体の前面側の最下端に水抜き孔を設けるとともに、ルーバ取付体に取り付けたフィルタの後面に臨む箇所の該ルーバ取付体の最下端から上方に向け堤防部を設けたものを請求項２に記載の発明とし、さらに、これらの発明において、外側ルーバカバーのガラリの開口の下縁に下隆堤部を設けるとともに該下隆堤部とガラリの立上げ部との間に横隆堤部を連設したものを請求項３に記載の発明としたものである。
【発明の効果】
【０００６】
前記のような請求項１に記載の発明は、ルーバ取付体の前面開口にサブルーバカバーを嵌合したうえ、該サブルーバカバーの前面側に着脱自在な外側ルーバカバー又はフードを選択して取り付けるものとしたものであるから、キャビネットの設置場所に対応した防水性能や、設置場所の背景に合うデザインの外側ルーバカバー、フードに変更することもできる。そして、キャビネットに外側ルーバカバーやフードを取り付けるための取付孔の加工を不要とするものでもある。また、ルーバカバー又はフードを選択して取り付けるものであるので、ルーバカバーとフードを同時に取り付けることがなく、風量の減衰が抑えられる。
【０００７】
また、請求項２に記載の発明は、ルーバ取付体の前面側の最下端に水抜き孔を設けたものであるから、外側ルーバカバー又はフードを介してサブルーバカバーを通過して浸入した雨水はフィルタに捕捉されたうえ下方に流下してルーバ取付体の最下端に流れ込み、該ルーバ取付体の前面側の最下端に設けた水抜き孔から外部に排水されるものである。さらに、ルーバ取付体に取り付けたフィルタの後面に臨む箇所の該ルーバ取付体の最下端から上方に向け堤防部を設けたものであるから、ルーバ取付体の最下端に流れ込んだ水は前記堤防部によりキャビネット側への流入が防止されるものである。
【０００８】
さらに、請求項３に記載の発明は、外側ルーバカバーのガラリの開口の下縁に下隆堤部を設けるとともに該下隆堤部とガラリの立上げ部との間に横隆堤部を連設したものであるから、風雨やキャビネット洗浄時の噴流の水の浸入を開口の下方、側部においても効果的に防止できるものである。
【発明を実施するための最良の形態】
【０００９】
次に、本発明の好ましい実施の形態を図面に基づき説明する。
図１において、１はルーバ取付体であり、該ルーバ取付体１は円形筒部１１を前側に設けて該円形筒部１１の前面開口から続かせた換気筒部１２を形成した取付本体１０と、円形筒部１１の周縁に設けた雄ネジ部１１ａに雌ネジ部１３ａを螺合する締付部材１３とよりなるものである。
【００１０】
そして、取付本体１０は円形筒部１１を電気機器キャビネット１００の側板部１０１に設けた円形の換気窓孔１０２に電気機器キャビネット１００の内側から嵌合して電気機器キャビネット１００の外側に先端を張出させて円形筒部１１の雄ネジ部１１ａに締付部材１３の雌ネジ部１３ａを螺合して、換気窓孔１０２の周縁を取付本体１０の円形筒部１１の基端側周縁前面と締付部材１３により挟持して電気機器キャビネット１００に取り付けられるものである。この取付作業は取付本体１０を回動させることなく取り付けできるので、取付本体１０は所定の角度で取付でき、ルーバ取付体１の前面側の最下端すなわち取付本体１０の円形筒部１１の前方最下端に設けた水抜き孔１４を最下端位置として取付できるものであり、また、取付本体１０の後面に電動ファンを取り付けたものであっても電動ファンの角度が変動しないものであるから、他の機器の配置関係や配線等に不都合な問題が生じないものである。
【００１１】
２は前記ルーバ取付体１の前面開口すなわち取付本体１０の円形筒部１１の前面開口に嵌合して雨水の浸入を防止するサブルーバカバーである。ここでいう水とは、屋外にキャビネットを設置した場合に、風とともに吹き上げられる雨水であったり、キャビネットを厨房などに設置した場合に、キャビネット洗浄に使用するホース等による噴流を示すものである。このサブルーバカバー２は図２に示すように短円状の外周枠部２１に設けた突起２１ａを円形筒部１１の筒内面に設けた係止溝１１ｂに係止して抜け出ることがないうえガラリ２ｂが所定の角度の位置となるように円形筒部１１に嵌合して取り付けられている。また、サブルーバカバー２の外周枠部２１に前記円形筒部１１の前方最下端に設けた水抜き孔１４に対応する箇所に水抜き孔２４が設けてある。
【００１２】
そして、該サブルーバカバー２の前面側に、着脱自在な外側ルーバカバー３又はフード４を選択して取り付けるものとしている。これにより、例えば、ガラリが雪により塞がる虞のない地域や設置場所においては外側ルーバカバー３を使用して、ガラリが雪により塞がる虞がある地域や設置場所においては、フード４を使用すればよいので、ルーバ装置全体を変更する必要がなく、コストがかからない。また、キャビネットの下部にルーバ装置を取り付ける場合は、フード４を取り付けると、通風孔４１が塞がれてしまう恐れがあるので、外側ルーバカバー３を取り付けた方が好ましいが、キャビネット設置場所が高い位置であれば、フード４を取り付けることも可能であり、ルーバの取り付け場所やキャビネットの設置場所により変更することもできる。さらに、図７に示すように円形と方形の２種類の外側ルーバカバー３とフード４を用意することなどにより、キャビネットの設置場所に対応した防水性能や、設置場所の背景に合うデザインの外側ルーバカバー、フードに変更することもできる。
【００１３】
また、ルーバカバー又はフードを選択して取り付けるものであるので、ルーバカバーとフードを同時に取り付けることがなく、風量の減衰が抑えられる。
【００１４】
図示の外側ルーバカバー３は、ガラリ３ｂを設けた主板部３１の周縁に前記円形筒部１１の雄ネジ部１１ａに螺合した締付部材１３を囲装する周枠部３２を設けたものである。そして、該外側ルーバカバー３は前記サブルーバカバー２の前面上部に突設した爪部２２に上方のガラリ３ｂの上縁を係止するとともにサブルーバカバー２の前面下方に突設した突起２３を外側ルーバカバー３の下方に設けた係止穴に嵌合させて、該外側ルーバカバー３とサブルーバカバー２とは互いのガラリ３ｂ、２ｂが所定の位置を保持して一体に構成して、外側ルーバカバー３を上部に設けたネジ挿通孔３３から取付ネジ５を挿通したうえ前記サブルーバカバー２を貫通してルーバ取付体１の取付本体１０に設けた雌ネジ部１６に螺合して着脱自在に取り付けられている。
【００１５】
これにより、上方から流れてくる水の浸入を防ぐためキャビネット側に向け上向き傾斜とした外側ルーバカバー３のガラリ３ｂと、風雨やキャビネット洗浄時の噴流の水の浸入を防ぐキャビネット側に向け下向き傾斜のサブルーバカバー２のガラリ２ｂをそれぞれ傾斜部の上部同士において当接して山型の屈曲した通風路を形成できるものである。
【００１６】
また、前記外側ルーバカバー３に変え前記ルーバ取付体１に着脱自在に取り付けサブルーバカバー２の前面側を覆うフード４は、図５〜図６に示すように、ルーバ取付体１を構成するキャビネットの外側で円形筒部１１の雄ネジ部１１ａに雌ネジ部１３ａを螺合させた締付部材１３の周縁に環状溝部１３ｂを設けて、該環状溝部１３ｂに下端に通風口４１を設けたフード４をスライドさせて着脱自在に取り付けたものとしている。すなわち、環状溝部１３ｂの溝底部１３ｃは円形を形成して連なっているので、フード４の背面両側に内向に折曲形成した係止片部４２、４２は環状溝部１３ｂの対向する両側に位置する円弧点を挟み込むように上下方向にスライドして係止し、また、背面上側に内向き折曲形成した係止片部４３を環状溝部１３ｂの上部に位置する円弧点に係止して、上部に設けたネジ挿通孔４４から取付ネジ５を挿通したうえ前記サブルーバカバー２を貫通してルーバ取付体１の取付本体１０に設けた雌ネジ部１６に螺合して着脱自在に取り付けられている。
【００１７】
このように、フード４は締付部材１３の周縁に設けた環状溝部１３ｂにスライドさせて取り付けられているので、締付部材１３の締付停止位置が異なっても所定の方向で取り付けできるものである。また、締付部材１３はキャビネット１００の板厚が異なっても常にキャビネット１００の外面に当接したものであるから環状溝部２１のキャビネット外面からの距離は一定であるのでフード４の背面とキャビネット外面との間の間隔は一定となりキャビネット１００の板厚が異なってもフード４の背面に設けるシール部材の変更・調整は不要である。
【００１８】
また、前記したとおりルーバ取付体１の前面側の最下端すなわち取付本体１０の円形筒部１１の前方最下端に水抜き孔１４を設けるとともに、ルーバ取付体１に取り付けたフィルタ６の後面に臨む箇所の該ルーバ取付体１の最下端から上方に向け、すなわち、取付本体１０の換気筒部１２の最下端から上方に向け堤防部１５を設けたものとしている。これにより、外側ルーバカバー３又はフード３を介してサブルーバカバー２を通過して浸入した雨水はフィルタ６に捕捉されたうえ下方に流下してルーバ取付体１の最下端に流れ込み、該ルーバ取付体１の前面側の最下端に設けた水抜き孔１４とサブルーバカバー２の外周枠部２１に設けた水抜き孔２４から外部に排水されるものであり、また、ルーバ取付体１の最下端に流れ込んだ水は前記堤防部１５によりキャビネット側への流入を防止するので防水効果を向上させるものである。
【００１９】
前記外側ルーバカバー３は図３、図４に示すように、ガラリ３ｂの開口の下縁に下隆堤部３４を設けるとともに該下隆堤部３４とガラリ３ｂの立上げ部との間に横隆堤部３５、３５を連設したのであるから、風雨やキャビネット洗浄時の噴流の水の浸入を開口の下方、側部においても効果的に防止できるものである。
【００２０】
なお、前記のルーバ取付体１は電動ファンを後面に取り付けできるものとしているが、図８に示すようにルーバ取付体１の換気筒部１２に内蔵させたものであってもよい。
【００２１】
また、前記したとおり、取付本体１０は円形筒部１１を電気機器キャビネット１００の側板部１０１に設けた円形の換気窓孔１０２に電気機器キャビネット１００の内側から嵌合して電気機器キャビネット１００の外側に先端を張出させて円形筒部１１の雄ネジ部１１ａに締付部材１３の雌ネジ部１３ａを螺合して電気機器キャビネット１００に取り付けられているので、外側ルーバカバー３又はフード４とサブルーバカバー２を外すことにより該フィルタ４の交換ができ、感電防止の対策を採ることなく作業を行うことができるものである。
【図面の簡単な説明】
【００２２】
【図１】本発明の実施形態をサブルーバカバーの前面側を外側ルーバカバーで覆うものとした一例を示す縦断面図。
【図２】本発明の実施形態をサブルーバカバーの前面側を外側ルーバカバーで覆うものとした一例を示す分解して示す斜視図。
【図３】本発明の実施形態をサブルーバカバーの前面側を外側ルーバカバーで覆うものとした一例を示す斜視図。
【図４】外側ルーバカバーのガラリの要部を示す斜視図。
【図５】本発明の実施形態をサブルーバカバーの前面側をフードで覆うものとした一例を示す縦断面図。
【図６】本発明の実施形態をサブルーバカバーの前面側をフードで覆うものとした一例を示す横断面図。
【図７】本発明の実施形態を異なる形状の外側ルーバカバーとフードを外した状態で示す斜視図。
【図８】取付本体の他例を示す斜視図。
【符号の説明】
【００２３】
１  ルーバ取付体
10  取付本体
11  円形筒部
14  水抜き孔
15  堤防部
２  サブルーバカバー
３  外側ルーバカバー
3b  ガラリ
34  下隆堤部
35  横隆堤部
【図１】
2006332448.tif 000003
【図２】
2006332448.tif 000004
【図３】
2006332448.tif 000005
【図４】
2006332448.tif 000006
【図５】
2006332448.tif 000007
【図６】
2006332448.tif 000008
【図７】
2006332448.tif 000009
【図８】
2006332448.tif 000010